(57)【要約】  【課題】  診断目的の検査を行う検査装置と電子カルテ管理端末等の医療用端末との間で検査結果等の情報交換を行う医療情報管理システムにおいて、機器の接続関係を容易に変更できるようにする。  【解決手段】  この医療情報管理システムは、複数の検査装置１０ａ、１０ｂ、・・・と、複数の検査装置に検査要求信号を送信し、検査要求信号に応答した複数の検査装置の内から１つを選択すると共に、検査結果に関する情報を記録すべき医療用端末及び記録領域を設定し、設定された医療用端末及び記録領域に関する情報を選択された検査装置に送信する第１の医療用端末４０ａと、検査結果に関する情報を記録すべき医療用端末として設定された場合に、選択された検査装置から検査結果に関する情報を受信して、設定された記録領域に該情報を記録し、設定された記録領域を閉鎖する第２の医療用端末４０ｂとを具備する。【選択図】  図１
2005309502.tif 000002
【特許請求の範囲】
【請求項１】
医療施設において、診断目的の検査を行う複数の検査装置と、複数の医療用端末とを、ネットワークを介して接続することにより構成される医療情報管理システムにおいて用いられる医療情報管理方法であって、
いずれかの医療用端末から前記複数の検査装置に検査要求信号を送信するステップと、
前記複数の検査装置の内の少なくとも１つから検査要求信号に応答するステップと、
検査要求信号に応答した検査装置が複数存在する場合に、検査要求元の医療用端末において、検査要求信号に応答した複数の検査装置の内から１つを選択するステップと、
前記検査要求元の医療用端末において、検査結果に関する情報を記録すべき医療用端末及び記録領域を設定するステップと、
設定された医療用端末及び記録領域に関する情報を、前記検査要求元の医療用端末から前記選択された検査装置に送信するステップと、
前記選択された検査装置において、要求された検査を行うステップと、
前記選択された検査装置から前記設定された医療用端末に、検査結果に関する情報を送信するステップと、
前記設定された医療用端末において、設定された記録領域に検査結果に関する情報を記録するステップと、
前記設定された医療用端末において、設定された記録領域を閉鎖するステップと、
を具備する医療情報管理方法。
【請求項２】
医療施設において、複数の検査装置と複数の医療用端末とをネットワークを介して接続することにより構成される医療情報管理システムであって、
診断目的の検査を行う複数の検査装置と、
前記複数の検査装置に検査要求信号を送信し、検査要求信号に応答した検査装置が複数存在する場合に、検査要求信号に応答した複数の検査装置の内から１つを選択すると共に、検査結果に関する情報を記録すべき医療用端末及び記録領域を設定し、設定された医療用端末及び記録領域に関する情報を前記選択された検査装置に送信する第１の医療用端末と、
検査結果に関する情報を記録すべき医療用端末として設定された場合に、前記選択された検査装置から検査結果に関する情報を受信し、設定された記録領域に検査結果に関する情報を記録し、設定された記録領域を閉鎖する第２の医療用端末と、
を具備する医療情報管理システム。
【請求項３】
医療施設において、診断目的の検査を行う複数の検査装置とネットワークを介して接続される医療用端末であって、
前記複数の検査装置に検査要求信号を送信し、検査要求信号に応答した検査装置が複数存在する場合に、検査要求信号に応答した複数の検査装置の内から１つを選択する第１の手段と、
検査結果に関する情報を記録すべき医療用端末及び記録領域を設定し、設定された医療用端末及び記録領域に関する情報を前記選択された検査装置に送信する第２の手段と、
前記医療用端末が検査結果に関する情報を記録すべき医療用端末として設定された場合に、前記選択された検査装置から検査結果に関する情報を受信する第３の手段と、
前記医療用端末が検査結果に関する情報を記録すべき医療用端末として設定された場合に、設定された記録領域に検査結果に関する情報を記録し、設定された記録領域を閉鎖する第４の手段と、
を具備する医療用端末。
【請求項４】
前記医療用端末が、診断及び治療の内容を医療データとして記録媒体に記録する電子カルテ管理端末である、請求項３記載の医療用端末。
【請求項５】
前記医療用端末が、前記複数の検査装置の内のいずれかを制御する検査制御端末である、請求項３記載の医療用端末。
【請求項６】
医療施設において、診断目的の検査を行う複数の検査装置とネットワークを介して接続される医療用端末において用いられる医療情報管理プログラムであって、
前記複数の検査装置に検査要求信号を送信する手順と、
検査要求信号に応答した検査装置が複数存在する場合に、検査要求信号に応答した複数の検査装置の内から１つを選択する手順と、
検査結果に関する情報を記録すべき医療用端末及び記録領域を設定する手順と、
設定された医療用端末及び記録領域に関する情報を前記選択された検査装置に送信する手順と、
前記医療用端末が検査結果に関する情報を記録すべき医療用端末として設定された場合に、前記選択された検査装置から検査結果に関する情報を受信し、設定された記録領域に検査結果に関する情報を記録し、設定された記録領域を閉鎖する手順と、
をＣＰＵに実行させる医療情報管理プログラム。
【発明の詳細な説明】
【技術分野】
【０００１】
本発明は、医療施設において、診断目的の検査を行う検査装置と電子カルテ管理端末等の医療用端末との間で検査結果等の情報交換を行うための医療情報管理方法及びシステムに関し、さらに、そのような医療情報管理システムにおいて用いられる医療用端末及び医療情報管理プログラムに関する。
【背景技術】
【０００２】
診療所や総合病院等の医療施設において、従来より、放射線（Ｘ線、α線、β線、γ線、電子線、紫外線等）撮影装置や、ＣＴ（computed tomography：コンピュータ断層撮影）装置や、ＭＲＩ（magnetic resonance imaging：磁気共鳴画像）装置等の検査装置を用いて、医用画像が撮影されている。このような医用画像等の検査結果や、診断及び治療の内容を記録したカルテ等の医療情報は、患者の病状の変化を知るために保管しておく必要があり、法律によっても所定期間の保管が義務付けられている。
【０００３】
従って、医療施設においては、大量の医療情報を保管する必要が生じる。従来は、医用画像が撮影されたフィルムや、診断及び治療の内容が筆記用具を用いて記入された用紙等を保管していたので、保管用スペースの確保や、管理作業及び検索作業が、医療施設にとって大きな負担となっていた。
【０００４】
一方、近年においては、医用画像撮影やカルテ作成におけるディジタル化が進んでおり、医用画像や診断及び治療の内容を医療データとして光ディスクや磁気ディスク等の記録媒体に記録することにより、保管用スペースを削減したり、管理作業及び検索作業を省力化することが可能となっている。
【０００５】
ところで、医用画像等の検査結果を出力する検査装置と、検査結果に基づいて電子カルテを作成及び管理するために用いられる電子カルテ管理端末との間で、検査結果等の情報交換のために、共有フォルダを設けることが行われている。
【０００６】
関連する技術として、下記の特許文献１には、超音波画像の一部に含まれている文字情報を認識して、検索情報として利用する超音波画像記録再生装置が開示されている。この超音波画像記録再生装置においては、シリアル番号、作成日付、患者識別用ＩＤ番号、患者名等の各検索情報の記憶領域から成る検索情報記憶部と、画像記憶部とで構成されるファイルが用いられる。このようにしてファイルを共有にして情報交換を行うことは、広く実施されている。
【０００７】
しかしながら、検査装置と電子カルテ管理端末との間で情報交換のために共有フォルダを設ける場合には、共有フォルダの位置がハードウェア資源と深く結び付けられるので、共有フォルダを固定的・静的に維持する必要があった。従って、機器の接続関係を変更する操作が煩雑であり、複数の端末にかかる負荷を分散させたり記録媒体を増設することが困難であるという問題があった。このような理由から、機器の接続関係をずっと維持する必要のない方式が望まれている。
【特許文献１】特開平７−１１６１６０号公報（第１、５頁、図４）
【発明の開示】
【発明が解決しようとする課題】
【０００８】
そこで、上記の点に鑑み、本発明は、診断目的の検査を行う検査装置と電子カルテ管理端末等の医療用端末との間で検査結果等の情報交換を行う医療情報管理システムにおいて、機器の接続関係を容易に変更できるようにすることを目的とする。
【課題を解決するための手段】
【０００９】
上記課題を解決するため、本発明に係る医療情報管理方法は、医療施設において、診断目的の検査を行う複数の検査装置と、複数の医療用端末とを、ネットワークを介して接続することにより構成される医療情報管理システムにおいて用いられる医療情報管理方法であって、いずれかの医療用端末から複数の検査装置に検査要求信号を送信するステップと、複数の検査装置の内の少なくとも１つから検査要求信号に応答するステップと、検査要求信号に応答した検査装置が複数存在する場合に、検査要求元の医療用端末において、検査要求信号に応答した複数の検査装置の内から１つを選択するステップと、検査要求元の医療用端末において、検査結果に関する情報を記録すべき医療用端末及び記録領域を設定するステップと、設定された医療用端末及び記録領域に関する情報を、検査要求元の医療用端末から選択された検査装置に送信するステップと、選択された検査装置において、要求された検査を行うステップと、選択された検査装置から設定された医療用端末に、検査結果に関する情報を送信するステップと、設定された医療用端末において、設定された記録領域に検査結果に関する情報を記録するステップと、設定された医療用端末において、設定された記録領域を閉鎖するステップとを具備する。
【００１０】
本発明に係る医療情報管理システムは、医療施設において、複数の検査装置と複数の医療用端末とをネットワークを介して接続することにより構成される医療情報管理システムであって、診断目的の検査を行う複数の検査装置と、複数の検査装置に検査要求信号を送信し、検査要求信号に応答した検査装置が複数存在する場合に、検査要求信号に応答した複数の検査装置の内から１つを選択すると共に、検査結果に関する情報を記録すべき医療用端末及び記録領域を設定し、設定された医療用端末及び記録領域に関する情報を選択された検査装置に送信する第１の医療用端末と、検査結果に関する情報を記録すべき医療用端末として設定された場合に、選択された検査装置から検査結果に関する情報を受信し、設定された記録領域に検査結果に関する情報を記録し、設定された記録領域を閉鎖する第２の医療用端末とを具備する。
【００１１】
本発明に係る医療用端末は、医療施設において、診断目的の検査を行う複数の検査装置とネットワークを介して接続される医療用端末であって、複数の検査装置に検査要求信号を送信し、検査要求信号に応答した検査装置が複数存在する場合に、検査要求信号に応答した複数の検査装置の内から１つを選択する第１の手段と、検査結果に関する情報を記録すべき医療用端末及び記録領域を設定し、設定された医療用端末及び記録領域に関する情報を選択された検査装置に送信する第２の手段と、上記医療用端末が検査結果に関する情報を記録すべき医療用端末として設定された場合に、選択された検査装置から検査結果に関する情報を受信する第３の手段と、上記医療用端末が検査結果に関する情報を記録すべき医療用端末として設定された場合に、設定された記録領域に検査結果に関する情報を記録し、設定された記録領域を閉鎖する第４の手段とを具備する。
【００１２】
本発明に係る医療情報管理プログラムは、医療施設において、診断目的の検査を行う複数の検査装置とネットワークを介して接続される医療用端末において用いられる医療情報管理プログラムであって、複数の検査装置に検査要求信号を送信する手順と、検査要求信号に応答した検査装置が複数存在する場合に、検査要求信号に応答した複数の検査装置の内から１つを選択する手順と、検査結果に関する情報を記録すべき医療用端末及び記録領域を設定する手順と、設定された医療用端末及び記録領域に関する情報を選択された検査装置に送信する手順と、上記医療用端末が検査結果に関する情報を記録すべき医療用端末として設定された場合に、選択された検査装置から検査結果に関する情報を受信し、設定された記録領域に検査結果に関する情報を記録し、設定された記録領域を閉鎖する手順とをＣＰＵに実行させる。
【発明の効果】
【００１３】
本発明によれば、診断目的の検査が行われる場合にのみ、検査結果に関する情報を記録すべき医療用端末及び記録領域を設定して選択された検査装置に送信し、検査結果に関する情報を記録した後に、設定された記録領域を閉鎖するので、検査モダリティや医療用端末を追加してシステムを増設する際にも、設定の変更が不要であり、機器の接続関係を容易に変更することが可能となる。
【発明を実施するための最良の形態】
【００１４】
以下、本発明を実施するための最良の形態について、図面を参照しながら詳しく説明する。なお、同一の構成要素には同一の参照番号を付して、説明を省略する。
図１は、本発明の一実施形態に係る医療情報管理システムを示す概略図である。図１に示すように、この医療情報管理システムは、診療所や総合病院等の医療施設において、診断目的の検査を行う複数の検査モダリティ（検査装置）１０ａ、・・・と、それぞれの検査モダリティに対応して設置された複数の医療用端末４０ａ、・・・とが、ＬＡＮ（ローカルエリアネットワーク）を介して接続されることにより構成される。
【００１５】
ここで、検査モダリティには、放射線（Ｘ線、α線、β線、γ線、電子線、紫外線等）撮影装置１０ａ、１０ｂ、・・・と、ＣＴ（computed tomography：コンピュータ断層撮影）装置２０ａ、２０ｂ、・・・と、ＭＲＩ（magnetic resonance imaging：磁気共鳴画像）装置３０ａ、３０ｂ、・・・とが含まれている。
【００１６】
また、医療用端末４０ａ、・・・、５０ａ、・・・、６０ａ、・・・は、診断及び治療の内容を医療データとして記録媒体に記録する電子カルテ管理端末（ワークステーション）であっても良いし、対応する検査モダリティを制御する検査制御端末（コンソール）であっても良い。
【００１７】
図２は、本発明の一実施形態に係る医療用端末の構成を示すブロック図である。ここでは、複数の医療用端末４０ａ、・・・の例として、医療用端末４０ａの構成について説明する。他の医療用端末の構成も、これと同様である。
【００１８】
医療用端末４０ａは、各種の命令等を入力するために用いられるキーボードやマウス等の入力部４１と、操作用の画像等を表示するＣＲＴ又はＬＣＤディスプレイ等の表示部４２と、インタフェース４９を介して入力部４１及び表示部４２が接続された中央演算装置（以下、ＣＰＵという）４３と、メモリ４４と、ハードディスク４５と、ハードディスク４５におけるデータの書込み及び読出しを制御するハードディスク制御部４６と、ＤＶＤ（ディジタル・バーサタイル・ディスク）に対してデータの書込み及び読出しを行うＤＶＤドライブ４７と、ＬＡＮに接続するためのネットワークインタフェース４８とを含んでいる。これらの部分４３〜４８は、バスラインを介して相互に接続されている。
【００１９】
メモリ４４は、検査モダリティから受信した画像データ及び画像付帯情報を一時的に記憶する。その後、画像データ及び画像付帯情報は、ハードディスク４５又はＤＶＤにおいて設定された領域に記録される。さらに、ハードディスク４５には、ＣＰＵ４３に動作を行わせるためのソフトウェア（プログラム）が記録されている。なお、プログラムを記録する記録媒体としては、内蔵のハードディスク４５の他に、ＤＶＤ−ＲＯＭ、ＣＤ−ＲＯＭ、外付けハードディスク、フレキシブルディスク、ＭＯ、ＭＴ、又は、ＲＡＭ等を用いることもできる。
【００２０】
次に、ＣＰＵ４３とソフトウェア（プログラム）とによって構成される機能ブロック４３ａ〜４３ｆについて説明する。
モダリティ制御部４３ａは、サービスを受けたい検査の種類に関する情報と要求元の医療用端末を特定するための端末ＩＤ番号とを含む検査要求信号をネットワークにブロードキャストする等により、複数の検査モダリティに対して検査のサービスを要求する。検査要求信号に応答した検査モダリティが複数存在する場合には、モダリティ制御部４３ａが、検査要求信号に応答した複数の検査モダリティの内から１つを選択する。なお、検査要求信号に応答した検査モダリティが１つである場合には、その検査モダリティが選択されたものとみなすことにする。
【００２１】
記録領域設定部４３ｂは、検査結果に関する情報を記録すべき医療用端末及び記録領域等を設定し、設定された医療用端末及び記録領域等に関する情報を、選択された検査モダリティに送信する。ここで、検査結果に関する情報を記録すべき医療用端末としては、例えば、検査結果を記録する記録媒体としてハードディスク４５を用いる場合に、ハードディスク４５の空き容量が大きいものから設定されるようにしても良い。なお、検査結果に関する情報を記録すべき医療用端末としては、医療用端末４０ａ自身が設定されても良いし、他の医療用端末が設定されても良い。
【００２２】
また、検査結果に関する情報を記録すべき記録領域としては、ファイル又はフォルダの名前（又はディレクトリ名）、パス、容量等が設定される。あるいは、検査結果に関する情報を記録すべき記録領域をＵＲＬ（uniform resource locator：統一資源位置指定子）として設定し、検査モダリティにおいてそのＵＲＬを検査結果に関連付けるようにしても良い。さらに、記録領域設定部４３ｂは、検査結果に関する情報を送受信するための方法（プロトコル）を設定するようにしても良い。
【００２３】
検査結果に関する情報を記録すべき医療用端末として、医療用端末４０ａ自身が設定された場合に、医療用端末４０ａの検査結果受信部４３ｃは、選択された検査モダリティから、検査結果に関する情報を受信する。また、記録領域管理部４３ｄは、検査結果に関する情報を、設定された記録領域に記録する。その後、記録領域管理部４３ｄは、設定された記録領域を閉鎖（クローズ）する。設定された記録領域の閉鎖は、選択された検査モダリティからの指示に従って行うようにしても良いし、記録領域管理部４３ｄの判断により、例えば、記録終了から所定の時間が経過した時に行うようにしても良い。記録領域管理部４３ｄは、設定された記録領域を閉鎖する際に、検査モダリティから送信されたフラグ情報を記録領域に書き込む。
【００２４】
画像処理部４３ｅは、検査モダリティから受信された画像データに、必要な画像処理を施す。必要な画像処理が施された画像データは、出力部４３ｆからインタフェース４９を介して表示部４２に供給されて、表示部４２において画像が表示され、その画像がオペレータによって確認される。また、必要な画像処理が施された画像データは、メモリ４４に記憶されると共に、設定された条件に従って、ハードディスク制御部４６によって、ハードディスク４５に記録される。
【００２５】
次に、本実施形態に係る医療情報管理システムの動作について、図１〜図３を参照しながら説明する。
図３は、本実施形態に係る医療情報管理システムの動作の例を示すフローチャートである。
【００２６】
まず、ステップＳ１１において、医療用端末４０ａのモダリティ制御部４３ａが、放射線撮影装置を指定して、検査要求信号をネットワークにブロードキャストする等により、複数の検査モダリティに対して検査のサービスを要求する。
【００２７】
これに対して、ステップＳ２１において、ビジー状態でない放射線撮影装置１０ａ及び１０ｂが、医療用端末４０ａに、例えばピング（ping）を実行することにより、サービスに立候補する。ここで、ピングとは、送信信号が相手先に到達可能か否かを調べるために利用されるコマンドである。医療用端末４０ａのモダリティ制御部４３ａは、ポートを監視する等して、放射線撮影装置１０ａ及び１０ｂから送信される応答信号を受信し、放射線撮影装置１０ａ及び１０ｂの立候補を受け付ける。
【００２８】
検査要求信号に応答した検査モダリティが複数存在するので、ステップＳ１２において、医療用端末４０ａのモダリティ制御部４３ａは、検査要求信号に応答した放射線撮影装置１０ａ及び１０ｂの内から、サービスを依頼する検査モダリティとして、放射線撮影装置１０ａを選択する。
【００２９】
医療用端末４０ａの記録領域設定部４３ｂは、ステップＳ１３において、検査結果に関する情報を記録すべき医療用端末及び記録領域等を設定し、ステップＳ１４において、設定された医療用端末及び記録領域等に関する情報を、放射線撮影装置１０ａに送信する。ここで、記録領域設定部４３ｂは、検査結果に関する情報を記録すべき医療用端末として、医療用端末４０ａを設定したものとする。
【００３０】
放射線撮影装置１０ａは、設定された医療用端末及び記録領域等に関する情報を受信することにより、検査結果に関する情報を記録する領域が確保されたことを認識することができる。これにより、放射線撮影装置１０ａは、ステップＳ２２において、検査要求信号に基づいて、医療用端末４０ａから要求された検査を行う。ステップＳ２３において、放射線撮影装置１０ａは、検査結果に関する情報を、医療用端末４０ａに送信し、必要に応じて通信を繰り返す。
【００３１】
医療用端末４０ａの検査結果受信部４３ｃは、放射線撮影装置１０ａから送信された検査結果に関する情報を受信し、記録領域管理部４３ｄが、ステップＳ１５において、検査結果に関する情報を、設定された記録領域に記録する。
【００３２】
ステップＳ２４において、放射線撮影装置１０ａが、医療用端末４０ａにフラグ情報を送信する。医療用端末４０ａの記録領域管理部４３ｄは、ステップＳ１６において、このフラグ情報を、設定された記録領域に記録し、記録領域管理部４３ｄが、ステップＳ１７において、設定された記録領域を閉鎖（クローズ）する。なお、放射線撮影装置１０ａは、設定された記録領域が閉鎖されるまでの間は、設定された記録領域に記録されている検査結果に関する情報にアクセスすることができる。
【００３３】
以上のように、本実施形態によれば、一般的でシンプルな通信プロトコルを用いながら、高い信頼性を持って医療情報を管理することができる。即ち、医療用端末において、外部からの医療情報へのアクセスが時間的・空間的に限定されるので、セキュリティが向上する。また、検査モダリティや医療用端末を追加してシステムを増設する際にも、設定の変更が不要であり、機器の接続関係を容易に変更することが可能となる。
【産業上の利用可能性】
【００３４】
本発明は、診断目的の検査を行う検査装置と電子カルテ管理端末等の医療用端末との間で検査結果等の情報交換を行うための医療情報管理システムにおいて利用することが可能である。
【図面の簡単な説明】
【００３５】
【図１】本発明の一実施形態に係る医療情報管理システムを示す概略図である。
【図２】本発明の一実施形態に係る医療用端末の構成を示すブロック図である。
【図３】本発明の一実施形態に係る医療情報管理システムの動作の例を示すフローチャートである。
【符号の説明】
【００３６】
１０ａ、１０ｂ、・・・  放射線撮影装置
２０ａ、２０ｂ、・・・  ＣＴ装置
３０ａ、３０ｂ、・・・  ＭＲＩ装置
４０ａ、４０ｂ、・・、５０ａ、５０ｂ、・・、６０ａ、６０ｂ、・・  医療用端末
４１  入力部
４２  表示部
４３  中央演算装置（ＣＰＵ）
４３ａ  モダリティ制御部
４３ｂ  記録領域設定部
４３ｃ  検査結果受信部
４３ｄ  記録領域管理部
４３ｅ  画像処理部
４３ｆ  出力部
４４  メモリ
４５  ハードディスク
４６  ハードディスク制御部
４７  ＤＶＤドライブ
４８  ネットワークインタフェース
４９  インタフェース
【図１】
2005309502.tif 000003
【図２】
2005309502.tif 000004
【図３】
2005309502.tif 000005